(57)【要約】【課題】津波や洪水などによる坑道施設の浸水および水没をより確実に防止することができる浸水防止扉を有する坑道施設を提供する。【解決手段】坑道１２の浸水を防止するための浸水防止扉１４を有する坑道施設１０であって、浸水防止扉１４は、坑道１２の坑口１６または坑口１６近傍の坑道１２内に設置され、浸入しようとする水Ｗの力で自動的に閉じる扉である。【選択図】図１
2017101462.tif 000002
【特許請求の範囲】
【請求項１】
坑道の浸水を防止するための浸水防止扉を有する坑道施設であって、
前記浸水防止扉は、前記坑道の坑口または坑口近傍の前記坑道内に設置され、浸入しようとする水の力で自動的に閉じる扉であることを特徴とする浸水防止扉を有する坑道施設。
【請求項２】
前記浸水防止扉は、前記坑道の坑口または坑口近傍の前記坑道内に設けた隔壁の開口部に設置される左右一組の開き戸からなる観音開き扉であり、前記各開き戸を回転するための左右の回転軸は、鉛直に対して上側が左右外側に向けて若干傾斜していることを特徴とする請求項１に記載の浸水防止扉を有する坑道施設。
【請求項３】
前記浸水防止扉は、前記坑道の坑口または坑口近傍の前記坑道内に設けた隔壁の開口部に設置される左右一組の開き戸からなる観音開き扉であり、前記隔壁は、鉛直に対して上側が前記浸水防止扉の開く前側に向けて若干傾斜していることを特徴とする請求項１または２に記載の浸水防止扉を有する坑道施設。
【請求項４】
前記観音開き扉の代わりに片開き扉が前記隔壁の開口部に設置され、前記片開き扉を回転するための回転軸は開口部の左または右に設けられることを特徴とする請求項２または３に記載の浸水防止扉を有する坑道施設。
【請求項５】
前記坑道施設は、前記坑口よりも標高の低い位置に前記坑道が配置されている地下施設であり、前記浸水防止扉の開く前側に貯留した水を、前記浸水防止扉より標高の低い位置に設けた排水路に向けて排水するための排水管を有することを特徴とする請求項１〜４のいずれか一つに記載の浸水防止扉を有する坑道施設。
【請求項６】
前記坑道施設は、前記坑口よりも標高の低い位置に前記坑道が配置されている地下施設であり、前記浸水防止扉の開く前側に貯留した水を、前記浸水防止扉より標高の低い位置に設けた貯水槽に向けて排水するための排水管を有することを特徴とする請求項１〜５のいずれか一つに記載の浸水防止扉を有する坑道施設。
【請求項７】
前記浸水防止扉には、人間が通行可能な小扉が設けられていることを特徴とする請求項１〜６のいずれか一つに記載の浸水防止扉を有する坑道施設。
【発明の詳細な説明】
【技術分野】
【０００１】
本発明は、坑道施設に関し、特に、津波や洪水などによる坑道の浸水や水没を防ぐための浸水防止扉を有する坑道施設に関するものである。
【背景技術】
【０００２】
従来、交通用のトンネル、石油等のエネルギー物質を貯蔵するための地下施設、あるいは放射性廃棄物埋設処分施設では、坑口の標高よりも低い位置に坑道空間が存在することがあり、これらの坑道空間は、洪水の発生や津波の発生時に坑口に押し寄せる大量の水で水没するおそれがある。
【０００３】
ひとたび水没した場合には、地下坑道内の人間の生命を奪うことが懸念されるとともに、内部に存在する貯蔵物や設備を著しく損傷する懸念が生じる。従来はこのような災害事象は設計上考慮する必要は求められていなかったが、最近では想定外の災害についても対応できるような設計が求められている。
【０００４】
特に、石油等のエネルギー物質を貯蔵するための地下施設、あるいは放射性廃棄物埋設処分施設では、地下深部に坑道群を配置するため、これらの坑道が水没する危険性は排除できない。
【０００５】
放射性廃棄物埋設処分施設における放射性廃棄物は、水に漏出しにくくするために、固化して様々な形状の廃棄体にした後に、地下に埋設して処分される。例えば、高レベルの放射性廃棄物は、搬送に適した廃棄体に入った状態で地下に定置し埋設する。廃棄体は、緩衝材と称されるベントナイト系の土質材料で囲繞され、埋設処分される。緩衝材は、周囲からの地圧を緩衝するとともに、地下水の浸入を抑制し、廃棄体からの放射性物質の漏洩を抑止する。なお、低レベル放射性廃棄物の埋設処分施設についても、地下空洞型の処分施設が計画されている（例えば、非特許文献１を参照）。
【０００６】
図８は放射性廃棄物埋設処分施設の概念図であり、図９は廃棄体を収納する処分坑道の例である。図８に示すように、この処分施設は、地下に設けられた主要坑道１と、主要坑道１に接続した複数の処分坑道２とからなる。主要坑道１には立坑３と、地表４の坑口５から延びる斜坑６が接続している。図９に示すように、廃棄体７は処分坑道２の処分孔８に埋設処分される。
【０００７】
最終的には廃棄体を地下の処分坑道に定置して埋め戻し、地下施設を閉鎖するので、その後は地下水による水没が当然生じることを前提に設計してあるが、操業中においては湧水による機器設備の濡れや水没事故が生じてはならない。
【０００８】
こうした坑道の水没を防止する従来の技術として、例えば特許文献１に記載の放射性廃棄物の処分施設が知られている。この処分施設では、緊急貯水槽を地下坑道群よりも低い位置に設置しておき、水没の危険が生じた場合には、この緊急貯水槽に一時的に排水することで、地下施設全体の水没を防止、あるいは水没に至るまでの時間を緩和するようになっている。
【０００９】
一方、坑口の標高を高くすることで、津波や洪水による坑道の浸水に対処する方策もある。例えば、図１０に示すように、地下部の坑道坑口５から地上トンネル９を延長して設置することで、津波や洪水による予想水位よりも標高の高い位置５ａまで坑口を変更するのである。しかしながら、地上トンネル９、もしくはそれと地下坑道との連結部に衝撃による一部損傷が生じることによる坑道内への浸水の可能性は否定できないため、想定外事象まで対応できるような施設を求められる場合には適用し難い。
【先行技術文献】
【特許文献】
【００１０】
【特許文献１】特許第５７８７１６０号公報
【非特許文献】
【００１１】
【非特許文献１】資源エネルギー庁ホームページ、「余裕深度処分」、［online］、［２０１１年７月１４日検索］、インターネット＜ＵＲＬ：http://www.enecho.meti.go.jp/rw/gaiyo/gaiyo03-3.html＞
【発明の概要】
【発明が解決しようとする課題】
【００１２】
このため、津波や洪水などによる坑道施設の浸水および水没をより確実に防止することができる技術が求められていた。
【００１３】
本発明は、上記に鑑みてなされたものであって、津波や洪水などによる坑道施設の浸水および水没をより確実に防止することができる浸水防止扉を有する坑道施設を提供することを目的とする。
【課題を解決するための手段】
【００１４】
上記した課題を解決し、目的を達成するために、本発明に係る浸水防止扉を有する坑道施設は、坑道の浸水を防止するための浸水防止扉を有する坑道施設であって、前記浸水防止扉は、前記坑道の坑口または坑口近傍の前記坑道内に設置され、浸入しようとする水の力で自動的に閉じる扉であることを特徴とする。
【００１５】
また、本発明に係る他の浸水防止扉を有する坑道施設は、上述した発明において、前記浸水防止扉は、前記坑道の坑口または坑口近傍の前記坑道内に設けた隔壁の開口部に設置される左右一組の開き戸からなる観音開き扉であり、前記各開き戸を回転するための左右の回転軸は、鉛直に対して上側が左右外側に向けて若干傾斜していることを特徴とする。
【００１６】
また、本発明に係る他の浸水防止扉を有する坑道施設は、上述した発明において、前記浸水防止扉は、前記坑道の坑口または坑口近傍の前記坑道内に設けた隔壁の開口部に設置される左右一組の開き戸からなる観音開き扉であり、前記隔壁は、鉛直に対して上側が前記浸水防止扉の開く前側に向けて若干傾斜していることを特徴とする。
【００１７】
また、本発明に係る他の浸水防止扉を有する坑道施設は、上述した発明において、前記観音開き扉の代わりに片開き扉が前記隔壁の開口部に設置され、前記片開き扉を回転するための回転軸は開口部の左または右に設けられることを特徴とする。
【００１８】
また、本発明に係る他の浸水防止扉を有する坑道施設は、上述した発明において、前記坑道施設は、前記坑口よりも標高の低い位置に前記坑道が配置されている地下施設であり、前記浸水防止扉の開く前側に貯留した水を、前記浸水防止扉より標高の低い位置に設けた排水路に向けて排水するための排水管を有することを特徴とする。
【００１９】
また、本発明に係る他の浸水防止扉を有する坑道施設は、上述した発明において、前記坑道施設は、前記坑口よりも標高の低い位置に前記坑道が配置されている地下施設であり、前記浸水防止扉の開く前側に貯留した水を、前記浸水防止扉より標高の低い位置に設けた貯水槽に向けて排水するための排水管を有することを特徴とする。
【００２０】
また、本発明に係る他の浸水防止扉を有する坑道施設は、上述した発明において、前記浸水防止扉には、人間が通行可能な小扉が設けられていることを特徴とする。
【発明の効果】
【００２１】
本発明に係る浸水防止扉を有する坑道施設によれば、坑道の浸水を防止するための浸水防止扉を有する坑道施設であって、前記浸水防止扉は、前記坑道の坑口または坑口近傍の前記坑道内に設置され、浸入しようとする水の力で自動的に閉じる扉であるので、津波や洪水などによる坑道施設の浸水および水没を防止することができるという効果を奏する。
【００２２】
また、本発明に係る他の浸水防止扉を有する坑道施設によれば、前記浸水防止扉は、前記坑道の坑口または坑口近傍の前記坑道内に設けた隔壁の開口部に設置される左右一組の開き戸からなる観音開き扉であり、前記各開き戸を回転するための左右の回転軸は、鉛直に対して上側が左右外側に向けて若干傾斜しているので、浸水防止扉には扉を開放する方向の重力の分力が作用する。このため、常時においては浸水防止扉を開放状態にして開口部の通行を妨げるおそれがないという効果を奏する。
【００２３】
また、本発明に係る他の浸水防止扉を有する坑道施設によれば、前記浸水防止扉は、前記坑道の坑口または坑口近傍の前記坑道内に設けた隔壁の開口部に設置される左右一組の開き戸からなる観音開き扉であり、前記隔壁は、鉛直に対して上側が前記浸水防止扉の開く前側に向けて若干傾斜しているので、浸水防止扉には扉を開放する方向の重力の分力が作用する。このため、常時においては浸水防止扉を開放状態にして開口部の通行を妨げるおそれがないという効果を奏する。
【００２４】
また、本発明に係る他の浸水防止扉を有する坑道施設によれば、前記観音開き扉の代わりに片開き扉が前記隔壁の開口部に設置され、前記片開き扉を回転するための回転軸は開口部の左または右に設けられるので、片開き扉には扉を開放する方向の重力の分力が作用する。このため、常時においては浸水防止扉を開放状態にして開口部の通行を妨げるおそれがないという効果を奏する。
【００２５】
また、本発明に係る他の浸水防止扉を有する坑道施設によれば、前記坑道施設は、前記坑口よりも標高の低い位置に前記坑道が配置されている地下施設であり、前記浸水防止扉の開く前側に貯留した水を、前記浸水防止扉より標高の低い位置に設けた排水路に向けて排水するための排水管を有するので、浸水防止扉の前方側に溜まった水を排水管から排水路に向けて排水することができるという効果を奏する。
【００２６】
また、本発明に係る他の浸水防止扉を有する坑道施設によれば、前記坑道施設は、前記坑口よりも標高の低い位置に前記坑道が配置されている地下施設であり、前記浸水防止扉の開く前側に貯留した水を、前記浸水防止扉より標高の低い位置に設けた貯水槽に向けて排水するための排水管を有するので、浸水防止扉の前方側に溜まった水を排水管から貯水槽に向けて排水することができるという効果を奏する。
【００２７】
また、本発明に係る他の浸水防止扉を有する坑道施設によれば、前記浸水防止扉には、人間が通行可能な小扉が設けられているので、水が引いた後に浸水防止扉を開けることが不可能な場合や、浸水防止扉に閉じ込められた場合などに小扉を開けて脱出することができるという効果を奏する。
【図面の簡単な説明】
【００２８】
【図１】図１は、本発明に係る浸水防止扉を有する坑道施設の実施の形態１を示す側断面図であり、（１）は常時、（２）は津波や洪水発生時の図である。
【図２】図２は、浸水防止扉の構造例を示す透視斜視図であり、（１）は開放状態、（２）は閉鎖状態の図である。
【図３】図３は、本発明に係る浸水防止扉を有する坑道施設の実施の形態２における浸水防止扉の回転軸が傾斜している例を示す透視斜視図であり、（１）は開放状態、（２）は閉鎖状態の図である。
【図４】図４は、本発明に係る浸水防止扉を有する坑道施設の実施の形態３における浸水防止扉の隔壁が傾斜している例を示す図であり、（１）は透視斜視図、（２）は側断面図である。
【図５−１】図５−１は、本発明に係る浸水防止扉を有する坑道施設の実施の形態４における排水路の設置例を示す図であり、排水処理前の図である。
【図５−２】図５−２は、本発明に係る浸水防止扉を有する坑道施設の実施の形態４における排水路の設置例を示す図であり、排水処理中の図である。
【図６−１】図６−１は、本発明に係る浸水防止扉を有する坑道施設の実施の形態５における緊急貯水坑道の設置例を示す図であり、排水処理前の図である。
【図６−２】図６−２は、本発明に係る浸水防止扉を有する坑道施設の実施の形態５における緊急貯水坑道の設置例を示す図であり、排水処理中の図である。
【図６−３】図６−３は、本発明に係る浸水防止扉を有する坑道施設の実施の形態５における緊急貯水坑道の設置例を示す概念図である。
【図７】図７は、本発明に係る浸水防止扉を有する坑道施設の実施の形態６における小扉の設置例を示す透視斜視図であり、（１）は閉鎖状態、（２）は開放状態の図である。
【図８】図８は、地層処分施設の一例を示す概念図である。
【図９】図９は、廃棄体を収納する処分坑道の一例を示す図である。
【図１０】図１０は、地下施設の坑道の坑口から地上トンネルを延長して坑口の標高を高くする概念図である。
【発明を実施するための形態】
【００２９】
以下に、本発明に係る浸水防止扉を有する坑道施設の実施の形態を図面に基づいて詳細に説明する。なお、以下の説明では具体的な対策設備を有する坑道施設として、放射性廃棄物の処分施設を例にとり説明するが、この実施の形態により本発明が限定されるものではなく、本発明は坑口の標高よりも低い位置に坑道空間が存在する坑道施設全般に適用することが可能である。
【００３０】
（実施の形態１）
まず、本発明の実施の形態１について説明する。
図１（１）に示すように、本実施の形態１に係る浸水防止扉を有する坑道施設１０は、地表ＧＬ下に設けられた坑道１２と、坑道１２の浸水を防止するための浸水防止扉１４を有する。図では、坑道１２内部において坑口１６に比較的近い位置に浸水防止扉１４を設置する例を示しているが、坑口１６部分に直接設置してもよい。
【００３１】
この浸水防止扉１４は、常時においては開放しているが、図１（２）に示すように、津波や洪水によって一時的に水位ＷＬが上昇し、坑道１２内部に大量の水Ｗが押し寄せると、この水Ｗの力で自動的に閉じることが可能な自動閉鎖扉として構成されている。このため、浸水防止扉１４よりも地下の坑道１２には水Ｗは浸入しない。
【００３２】
図２は、浸水防止扉１４の具体例である。
浸水防止扉１４は、坑道１２内に設けた隔壁１８に設置される。隔壁１８は水圧に耐える構造であり、坑道１２への交通に支障のない大きさの開口部２０を有している。浸水防止扉１４は、この開口部２０に設けられ、左右２枚の開き戸１４Ａ、１４Ｂからなる観音開き扉である。各開き戸１４Ａ、１４Ｂの左右外側の端部は、隔壁１８の図示しない戸枠に設けられた蝶番からなる回転軸２２Ａ、２２Ｂに回転自在に取付けられている。一方、各開き戸１４Ａ、１４Ｂの左右内側の端部２８Ａ、２８Ｂには、水密ゴムなどが設けられており、浸水防止扉１４を閉じた場合には端部２８Ａ、２８Ｂは水密に接合する。
【００３３】
各開き戸１４Ａ、１４Ｂは、回転軸２２Ａ、２２Ｂを軸として前方の坑口１６側に向けて中央から左右に回転して開き、左右から中央に回転して閉じるようになっている。したがって、浸水防止扉１４は坑道１２の中から坑口１６側に向かって開口するようになっている。
【００３４】
緊急時には電力等の供給に頼ることはできない場合もあるので、基本的には押し寄せる水Ｗの力で自動的に閉まる扉とすることが望ましい。大量の水Ｗが坑道１２の奥に向かって押し寄せるときには、この浸水防止扉１４に流れる水Ｗが衝突し、その衝撃圧力で浸水防止扉１４は自動的に閉まる。浸水防止扉１４の外側に水Ｗが溜まった状態のときは、水圧によって浸水防止扉１４は開かないことになる。その後、水Ｗが引くと水圧がゼロになるので、浸水防止扉１４は小さな力で開けることができ、中に閉じ込められた人間は脱出することができる。
【００３５】
押し寄せた水Ｗの力で、浸水防止扉１４が開く向きに作用することがないように、浸水防止扉１４は完全に開いた状態ではなく、図２（１）に示すように半開き状態と完全に開いた状態の中間状態で開けられていることが望ましい。そこで、浸水防止扉１４の前方の坑道１２の左右の側壁に設置した固定プレート２４に、側方に向けて突出する上下２つのストッパー２６を設けている。各開き戸１４Ａ、１４Ｂがストッパー２６に当たることで浸水防止扉１４がそれ以上開かないようにしている。また、浸水防止扉１４を設置する隔壁１８において、坑道１２の幅は開口部２０よりも大きくしておくことが望ましい。そうすることで、隔壁１８に押し寄せた大量の水Ｗは、開いた状態の浸水防止扉１４と坑道１２壁面との間に流れ込み、その後扉を閉める方向に確実に水流が作用する。
【００３６】
本実施の形態によれば、津波や洪水などによる水Ｗが押し寄せても、浸水防止扉１４はこの押し寄せた水Ｗの力で自動的に閉じる。このため、坑道施設１０の浸水および水没を防止することができる。また、坑道施設１０の内部に居る人間の溺水事故を防止することができる。
【００３７】
（実施の形態２）
次に、本発明の実施の形態２について説明する。
図３に示すように、本実施の形態２は、坑道１２内に設置されている隔壁１８の開口部２０の左右にある浸水防止扉１４の回転軸２２Ａ、２２Ｂを、鉛直線Ｚに対して上側を左右外側に向けて若干傾斜させたものである。この傾斜角度θ１としては、例えば１／１０００〜１／２００とすることができる。このような構造を採用することによって、図３（１）に示すように、浸水防止扉１４に作用する重力Ｐは扉を開放する方向の分力Ｐｈを扉に与えるため、常時は浸水防止扉１４を開放状態にし、隔壁１８の開口部２０の通行を妨げない。
【００３８】
図３（２）に示すように、ひとたび大量の水Ｗが坑道１２内に押し寄せた場合には、浸水防止扉１４に水流の勢いが作用し、その後、浸水防止扉１４が閉じた後では水圧が作用するので、浸水防止扉１４は閉じた状態を維持する。その後、坑道１２内に貯留した水Ｗが無くなると、浸水防止扉１４に作用していた水Ｗの力はゼロとなるため、重力Ｐの分力Ｐｈによって扉は坑口１６側に自動的に開くことになる。
【００３９】
上記のような構造を有する浸水防止扉１４を設置するため、隔壁１８の開口部２０および各開き戸１４Ａ、１４Ｂは長方形ではなく、変形した四辺形（例えば台形など）となる。坑道１２の床面３０は浸水防止扉１４の回転軸２２Ａ、２２Ｂの傾斜角度θ１と同等の傾斜面となっている。
【００４０】
（実施の形態３）
次に、本発明の実施の形態３について説明する。
図４に示すように、本実施の形態３は、坑道１２内に設置されている隔壁１８を、鉛直線Ｚに対して浸水防止扉１４の開く前側の坑口１６側に向けて若干傾斜させたものである。この傾斜角度θ２としては、例えば１／１０００〜１／２００とすることができる。このような構造を採用することによって、浸水防止扉１４に作用する重力Ｐは扉を開放する方向の分力Ｐｈを扉に与えるため、常時は浸水防止扉１４を開放状態にし、作業車両３２などの隔壁１８の開口部２０の通行を妨げない。
【００４１】
ひとたび大量の水Ｗが坑道１２内に押し寄せた場合には、浸水防止扉１４に水流の勢いが作用し、その後、扉が閉じた後では水圧が作用するので、浸水防止扉１４は閉じた状態を維持する。その後、坑道１２内に貯留した水Ｗが無くなると、浸水防止扉１４に作用していた水Ｗの力はゼロとなるため、重力Ｐの分力Ｐｈによって浸水防止扉１４は坑口１６側に自動的に開くことになる。
【００４２】
上記のような構造を有する浸水防止扉１４を設置するため、隔壁１８の開口部２０および各開き戸１４Ａ、１４Ｂは長方形ではなく、変形した四辺形（例えば台形など）となる。坑道１２の床面３０は浸水防止扉１４の回転軸２２Ａ、２２Ｂの傾斜角度θ１と同等の傾斜面となっている。
【００４３】
（実施の形態４）
次に、本発明の実施の形態４について説明する。
図５−１に示すように、本実施の形態４は、浸水防止扉１４の開く前側に貯留した水Ｗを、浸水防止扉１４より標高の低い位置に設けた排水路３４に向けて排水するための排水管３６を有するものである。
【００４４】
この構成によれば、図５−１に示すように、坑道１２内に配置された浸水防止扉１４と坑口１６との間に水Ｗが溜まっている状態から、水が引いた後に、図５−２に示すように、坑道１２内から坑道１２外部の排水路３４に向けて地中の排水管３６からゆっくりと排水することができる。
【００４５】
排水路３４の流路断面積が坑道１２の断面積に比べて著しく小さい場合であっても、大量の水Ｗが押し寄せたときには排水機能は十分ではないが、ひとたび水が引いた後は、時間をかけて排水が進むので、仮に坑道１２内部に閉じ込められた人間がいたとしても、溺れることなく例えば数時間あるいは数日後には、浸水防止扉１４を開けて外に脱出することができる。
【００４６】
（実施の形態５）
次に、本発明の実施の形態５について説明する。
図６−１に示すように、本実施の形態７は、浸水防止扉１４の開く前側に貯留した水Ｗを、浸水防止扉１４より標高の低い位置に設けた緊急貯水坑道３８（貯水槽）に向けて排水するための排水管３６を有するものである。
【００４７】
この構成によれば、図６−１に示すように、坑道１２内に配置された浸水防止扉１４と坑口１６との間に水Ｗが溜まっている状態から、水が引いた後に、図６−２に示すように、坑道１２内から坑道１２外部の緊急貯水坑道３８に向けて地中の排水管３６からゆっくりと排水することができる。
【００４８】
このような緊急貯水坑道３８は、坑道１２内に溜まった水Ｗが坑口１６外側近傍の地形の標高よりも低い場合に役立つ。緊急貯水坑道３８は、例えば図６−３に示すように、坑口１６近くに配置される。緊急貯水坑道３８からは自然流下による排水はできないような高低関係で連絡坑４０などを介して坑口１６につながっている。緊急貯水坑道３８は、普段はポンプ排水により常時ドライな状況にしておき、緊急時には緊急貯水槽として機能する。
【００４９】
（実施の形態６）
次に、本発明の実施の形態６について説明する。
図７に示すように、本実施の形態６は、坑道１２内の浸水防止扉１４の一部に、人間が出入り可能な小扉４２を非常口として設けたものである。小扉４０は、浸水防止扉１４の内側に居る人間の力で手前側（坑口１６側とは反対の側）に開けることができるようにしてある。洪水や津波によって大量の水Ｗが坑道１２に押し寄せた場合には、破壊されたり流されたりした様々な部材や材料が浸水防止扉１４に押し流され、浸水防止扉１４の前に堆積する場合も想定される。
【００５０】
このような場合には、水が引いて、排水が進んでも残置物が障害となって、浸水防止扉１４を開けることが不可能な場合がある。このときには、浸水防止扉１４の内部に閉じ込められた人間は、水の引いたことを確認してからこの非常口としての小扉４０を開けて脱出することができる。
【００５１】
上記の実施の形態においては、浸水防止扉１４が左右２枚の開き戸からなる観音開き扉で構成される場合について説明したが、観音開き扉の代わりに片開き扉で構成してもよい。この場合、片開き扉を回転するための回転軸を開口部２０の左側または右側に設け、押し寄せる水Ｗの力で自動的に閉まる扉とすることが望ましい。また、この片開き扉の回転軸を上記の実施の形態２、３のように、鉛直線Ｚに対して上側を外側に向けて若干傾斜させたり、鉛直線Ｚに対して片開き扉の開く前側に向けて若干傾斜させた構成としてもよい。このようにしても、上記の実施の形態２、３と同様の作用効果を奏することができる。
【００５２】
以上説明したように、本発明に係る浸水防止扉を有する坑道施設によれば、坑道の浸水を防止するための浸水防止扉を有する坑道施設であって、前記浸水防止扉は、前記坑道の坑口または坑口近傍の前記坑道内に設置され、浸入しようとする水の力で自動的に閉じる扉であるので、津波や洪水などによる坑道施設の浸水および水没を防止することができる。
【００５３】
また、本発明に係る他の浸水防止扉を有する坑道施設によれば、前記浸水防止扉は、前記坑道の坑口または坑口近傍の前記坑道内に設けた隔壁の開口部に設置される左右一組の開き戸からなる観音開き扉であり、前記各開き戸を回転するための左右の回転軸は、鉛直に対して上側が左右外側に向けて若干傾斜しているので、浸水防止扉には扉を開放する方向の重力の分力が作用する。このため、常時においては浸水防止扉を開放状態にして開口部の通行を妨げるおそれがない。
【００５４】
また、本発明に係る他の浸水防止扉を有する坑道施設によれば、前記浸水防止扉は、前記坑道の坑口または坑口近傍の前記坑道内に設けた隔壁の開口部に設置される左右一組の開き戸からなる観音開き扉であり、前記隔壁は、鉛直に対して上側が前記浸水防止扉の開く前側に向けて若干傾斜しているので、浸水防止扉には扉を開放する方向の重力の分力が作用する。このため、常時においては浸水防止扉を開放状態にして開口部の通行を妨げるおそれがない。
【００５５】
また、本発明に係る他の浸水防止扉を有する坑道施設によれば、前記観音開き扉の代わりに片開き扉が前記隔壁の開口部に設置され、前記片開き扉を回転するための回転軸は開口部の左または右に設けられるので、片開き扉には扉を開放する方向の重力の分力が作用する。このため、常時においては浸水防止扉を開放状態にして開口部の通行を妨げるおそれがない。
【００５６】
また、本発明に係る他の浸水防止扉を有する坑道施設によれば、前記坑道施設は、前記坑口よりも標高の低い位置に前記坑道が配置されている地下施設であり、前記浸水防止扉の開く前側に貯留した水を、前記浸水防止扉より標高の低い位置に設けた排水路に向けて排水するための排水管を有するので、浸水防止扉の前方側に溜まった水を排水管から排水路に向けて排水することができる。
【００５７】
また、本発明に係る他の浸水防止扉を有する坑道施設によれば、前記坑道施設は、前記坑口よりも標高の低い位置に前記坑道が配置されている地下施設であり、前記浸水防止扉の開く前側に貯留した水を、前記浸水防止扉より標高の低い位置に設けた貯水槽に向けて排水するための排水管を有するので、浸水防止扉の前方側に溜まった水を排水管から貯水槽に向けて排水することができる。
【００５８】
また、本発明に係る他の浸水防止扉を有する坑道施設によれば、前記浸水防止扉には、人間が通行可能な小扉が設けられているので、水が引いた後に浸水防止扉を開けることが不可能な場合や、浸水防止扉に閉じ込められた場合などに小扉を開けて脱出することができる。
【産業上の利用可能性】
【００５９】
以上のように、本発明に係る浸水防止扉を有する坑道施設は、石油等のエネルギー物質を貯蔵するための地下施設や放射性廃棄物埋設処分施設などの地下深部に坑道群を配置する施設に有用であり、特に、津波や洪水などによる坑道施設の浸水および水没を確実に防止するのに適している。
【符号の説明】
【００６０】
１  主要坑道
２  処分坑道
３  立坑
１０  浸水防止扉を有する坑道施設
１２  坑道
１４  浸水防止扉
１６  坑口
１８  隔壁
２０  開口部
２２Ａ、２２Ｂ  回転軸
２４  固定プレート
２６  ストッパー
２８Ａ、２８Ｂ  端部
３０  床面
３２  作業車両
３４  排水路
３６  排水管
３８  緊急貯水坑道（貯水槽）
４０  連絡坑
４２  小扉
ＧＬ  地表
ＷＬ  水位
Ｗ  水
Ｚ  鉛直線
θ１、θ２  傾斜角度
【図１】
2017101462.tif 000003
【図２】
2017101462.tif 000004
【図３】
2017101462.tif 000005
【図４】
2017101462.tif 000006
【図５−１】
2017101462.tif 000007
【図５−２】
2017101462.tif 000008
【図６−１】
2017101462.tif 000009
【図６−２】
2017101462.tif 000010
【図６−３】
2017101462.tif 000011
【図７】
2017101462.tif 000012
【図８】
2017101462.tif 000013
【図９】
2017101462.tif 000014
【図１０】
2017101462.tif 000015